Podtech/llm-jp-corpus-v4-ja_patent huggingface dataset:
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
レンズと、
画素ごとに設けられ、ベイヤ配列で配置される第１の色フィルタ、第２の色フィルタおよび第３の色フィルタと、
前記レンズを経由して前記第１〜第３の色フィルタを通過した光を光電変換して、前記第１の色フィルタに対応する第１の色信号と、前記第２の色フィルタに対応する第２の色信号と、前記第３の色フィルタに対応する第３の色信号とを生成するイメージセンサと、
前記第１〜第３の色信号に対して信号処理を行う信号処理部と、を備え、
前記第１の色フィルタは市松状に配置されて、前記第１の色フィルタに対応する画素のうち一つが基準画素として用いられ、
前記信号処理部は、
前記基準画素の周囲に位置する複数画素の前記第２の色信号の平均値と、前記基準画素の周囲に位置する複数画素の前記第１の色信号の平均値との比率に、前記基準画素の前記第１の色信号を乗じることにより、前記基準画素に対応する第４の色信号を生成する第１の色生成手段と、
前記基準画素の周囲に位置する複数画素の前記第３の色信号の平均値と、前記基準画素の周囲に位置する複数画素の前記第１の色信号の平均値との比率に、前記基準画素の前記第１の色信号を乗じることにより、前記基準画素に対応する第５の色信号を生成する第２の色生成手段と、
前記第１〜第５の色信号に基づいて、所定の画像処理を行ってカラー信号を生成する特性変換手段と、を有することを特徴とする撮像装置。
【請求項２】
前記第１の色生成手段は、前記基準画素を中心に含む縦横複数画素からなる画素ブロックごとに、前記画素ブロック内の複数画素の前記第２の色信号の平均値と、前記画素ブロック内の前記基準画素以外の複数画素の前記第１の色信号の平均値との比率を計算し、
前記第２の色生成手段は、前記基準画素を中心に含む縦横複数画素からなる画素ブロックごとに、前記画素ブロック内の複数画素の前記第３の色信号の平均値と、前記画素ブロック内の前記基準画素以外の複数画素の前記第１の色信号の平均値との比率を計算することを特徴とする請求項１に記載の撮像装置。
【請求項３】
前記第１の色生成手段は、前記基準画素の左右に隣接する２画素の前記第２の色信号の平均値と、前記基準画素に隣接する４画素の前記第１の色信号の平均値との比率を計算し、
前記第２の色生成手段は、前記基準画素の左右に隣接する２画素の前記第３の色信号の平均値と、前記基準画素に隣接する４画素の前記第１の色信号の平均値との比率を計算することを特徴とする請求項２に記載の撮像装置。
【請求項４】
前記第１の色生成手段は、前記基準画素の上下に隣接する２画素の前記第２の色信号の平均値と、前記基準画素に隣接する４画素の前記第１の色信号の平均値との比率を計算し、
前記第２の色生成手段は、前記基準画素の上下に隣接する２画素の前記第３の色信号の平均値と、前記基準画素に隣接する４画素の前記第１の色信号の平均値との比率を計算することを特徴とする請求項２に記載の撮像装置。
【請求項５】
前記第１の色生成手段と前記第２の色生成手段とは、互いに異なる前記基準画素を用いて前記比率を計算することを特徴とする請求項３または４に記載の撮像装置。
【請求項６】
前記第１の色生成手段と前記第２の色生成手段とは、縦または横方向に２画素ずらすか、ままたは縦横に１画素ずつずらして生成される前記画素ブロックごとに前記比率を計算することを特徴とする請求項２に記載の撮像装置。
【請求項７】
前記第１の色生成手段は、前記画素ブロック内の前記基準画素が属する行または列に隣接する行または列内の計６画素の前記第２の色信号の平均値と、前記画素ブロック内の６画素の前記第１の色信号の平均値との比率を計算することを特徴とする請求項２に記載の撮像装置。
【請求項８】
前記第１の色生成手段は、前記画素ブロック内の前記基準画素が属する行または列内において前記基準画素を挟んで両側に隣接する計２画素の前記第２の色信号の平均値と、前記画素ブロック内の６画素の前記第１の色信号の平均値との比率を計算することを特徴とする請求項２に記載の撮像装置。
【請求項９】
前記第２の色生成手段は、前記画素ブロック内の前記基準画素が属する行または列に隣接する行または列内の計６画素の前記第３の色信号の平均値と、前記画素ブロック内の６画素の前記第１の色信号の平均値との比率を計算することを特徴とする請求項２に記載の撮像装置。
【請求項１０】
前記第２の色生成手段は、前記画素ブロック内の前記基準画素が属する行または列内において前記基準画素を挟んで両側に隣接する計２画素の前記第３の色信号の平均値と、前記画素ブロック内の６画素の前記第１の色信号の平均値との比率を計算することを特徴とする請求項２に記載の撮像装置。
【手続補正２】
【補正対象書類名】明細書
【補正対象項目名】０００７
【補正方法】変更
【補正の内容】
【０００７】
本発明の一態様によれば、レンズと、
画素ごとに設けられ、ベイヤ配列で配置される第１の色フィルタ、第２の色フィルタおよび第３の色フィルタと、
前記レンズを経由して前記第１〜第３の色フィルタを通過した光を光電変換して、前記第１の色フィルタに対応する第１の色信号と、前記第２の色フィルタに対応する第２の色信号と、前記第３の色フィルタに対応する第３の色信号とを生成するイメージセンサと、
前記第１〜第３の色信号に対して信号処理を行う信号処理部と、を備え、
前記第１の色フィルタは市松状に配置されて、前記第１の色フィルタに対応する画素のうち一つが基準画素として用いられ、
前記信号処理部は、
前記基準画素の周囲に位置する複数画素の前記第２の色信号の平均値と、前記基準画素の周囲に位置する複数画素の前記第１の色信号の平均値との比率に、前記基準画素の前記第１の色信号を乗じることにより、前記基準画素に対応する第４の色信号を生成する第１の色生成手段と、
前記基準画素の周囲に位置する複数画素の前記第３の色信号の平均値と、前記基準画素の周囲に位置する複数画素の前記第１の色信号の平均値との比率に、前記基準画素の前記第１の色信号を乗じることにより、前記基準画素に対応する第５の色信号を生成する第２の色生成手段と、
前記第１〜第５の色信号に基づいて、所定の画像処理を行ってカラー信号を生成する特性変換手段と、を有することを特徴とする撮像装置が提供される。
【手続補正３】
【補正対象書類名】明細書
【補正対象項目名】００３２
【補正方法】変更
【補正の内容】
【００３２】
これにより、図５（ａ）と図５（ｂ）に示すように、３×３画素からなる画素ブロック内にそれぞれ５つの仮想Ｒｖ画素と５つの仮想Ｂｖ画素の色信号を算出することができる。
【手続補正４】
【補正対象書類名】明細書
【補正対象項目名】００３３
【補正方法】変更
【補正の内容】
【００３３】
本実施形態によれば、画素ブロック内のＲ画素とＢ画素を各々２画素から７画素に増やすことができ、Ｒ信号とＢ信号の色解像度とＳ／Ｎを大きく向上させることができる。
【手続補正５】
【補正対象書類名】明細書
【補正対象項目名】００６０
【補正方法】変更
【補正の内容】
【００６０】
上記（９）〜（１２）式に従って仮想Ｒｖと仮想Ｂｖを生成することにより、ＲとＢの画素数が本来の画素数の３．５倍となり、色信号のＳ／Ｎは１０．９dB向上する。
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
ゲート電極上に、ゲート絶縁膜、微結晶半導体膜、非晶質半導体膜、一導電型を付与する不純物が添加された半導体膜、及びソース電極及びドレイン電極となる導電膜を順次形成し、
前記導電膜にレーザ光を照射することにより、前記非晶質半導体膜を微結晶半導体膜に改質し、かつ前記一導電型を付与する不純物が添加された半導体膜を一導電型を付与する不純物が添加された微結晶半導体膜に改質し、
前記導電膜を前記一導電型を付与する不純物が添加された半導体膜上に残存させたまま、チャネルエッチ型の薄膜トランジスタを形成することを特徴とする半導体装置の作製方法。
【請求項２】
ゲート電極上に、ゲート絶縁膜、微結晶半導体膜、非晶質半導体膜、一導電型を付与する不純物が添加された半導体膜、及びソース電極及びドレイン電極となる導電膜を順次形成し、
前記導電膜にレーザ光を照射することにより、前記非晶質半導体膜を微結晶半導体膜に改質し、かつ前記一導電型を付与する不純物が添加された半導体膜を一導電型を付与する不純物が添加された微結晶半導体膜に改質し、
前記導電膜を前記一導電型を付与する不純物が添加された半導体膜上に残存させたまま、チャネルエッチ型の薄膜トランジスタを形成し、
前記チャネルエッチ型の薄膜トランジスタに電気的に接続する画素電極を形成することを特徴とする半導体装置の作製方法。
【請求項３】
請求項１又は２において、前記ゲート絶縁膜は、前記ゲート電極上に窒化珪素膜、酸化窒化珪素膜、窒化珪素膜の積層で形成することを特徴とする半導体装置の作製方法。
【請求項４】
請求項１乃至３のいずれか一項において、前記ゲート絶縁膜、前記微結晶半導体膜、前記非晶質半導体膜、前記一導電型を付与する不純物が添加された半導体膜は大気に曝さずに連続的に形成することを特徴とする半導体装置の作製方法。
【手続補正書】
【提出日】平成23年6月10日(2011.6.10)
【手続補正１】
【補正対象書類名】明細書
【補正対象項目名】発明の名称
【補正方法】変更
【補正の内容】
【発明の名称】表示装置の作製方法
【手続補正２】
【補正対象書類名】特許請求の範囲
【補正対象項目名】全文
【補正方法】変更
【補正の内容】
【特許請求の範囲】
【請求項１】
基板上にゲート電極を形成し、
前記ゲート電極上に絶縁膜を形成し、
前記絶縁膜上に前記ゲート電極と重なる第１の半導体膜を形成し、第１の半導体膜にｐ型不純物元素またはｎ型不純物元素を添加して第２の半導体膜を形成し、
前記第２の半導体膜にレーザ光を照射して第３の半導体膜を形成し、
前記第３の半導体膜上にバッファ層を形成し、前記バッファ層上にｎ型不純物元素を含む第４の半導体膜を形成し、前記第４の半導体膜上にソース電極またはドレイン電極を形成する表示装置の作製方法。
【請求項２】
請求項１において、
前記第１の半導体膜は微結晶半導体膜であり、前記第３の半導体膜は、前記第１の半導体膜よりも結晶性が高い微結晶半導体膜である表示装置の作製方法。
【請求項３】
基板上にゲート電極を形成し、
前記ゲート電極上に絶縁膜を形成し、
前記絶縁膜上に前記ゲート電極と重なる第１の半導体膜を形成し、前記第１の半導体膜に第１のレーザ光を照射して第２の半導体膜を形成し、
前記第２の半導体膜にｐ型不純物元素またはｎ型不純物元素を添加して第３の半導体膜を形成し、
前記第３の半導体膜に第２のレーザ光を照射して第４の半導体膜を形成し、
前記第４の半導体膜上にバッファ層を形成し、前記バッファ層上にｎ型不純物元素を含む第５の半導体膜を形成し、前記第５の半導体膜上にソース電極またはドレイン電極を形成する表示装置の作製方法。
【請求項４】
請求項３において、
前記第１の半導体膜は微結晶半導体膜であり、前記第４の半導体膜は、前記第１の半導体膜よりも結晶性が高い微結晶半導体膜である表示装置の作製方法。
【請求項５】
基板上にゲート電極を形成し、
前記ゲート電極上に絶縁膜を形成し、
前記絶縁膜上にｐ型不純物元素またはｎ型不純物元素を含む第１の半導体膜を形成し、前記第１の半導体膜にレーザ光を照射して第２の半導体膜を形成し、
前記第２の半導体膜上にバッファ層を形成し、前記バッファ層上にｎ型不純物元素を含む第３の半導体膜を形成し、前記第３の半導体膜上にソース電極またはドレイン電極を形成する表示装置の作製方法。
【請求項６】
請求項５において、
前記第１の半導体膜は微結晶半導体膜であり、前記第２の半導体膜は、前記第１の半導体膜よりも結晶性が高い微結晶半導体膜である表示装置の作製方法。
【請求項７】
請求項１乃至６のいずれか一において、
前記バッファ層は非晶質半導体膜である表示装置の作製方法。
【請求項８】
請求項１乃至６のいずれか一において、
前記バッファ層は、窒素を含む非晶質半導体膜で形成する表示装置の作製方法。
【請求項９】
請求項１乃至６のいずれか一において、
前記バッファ層は、水素を含む非晶質半導体膜で形成する表示装置の作製方法。
【請求項１０】
請求項１乃至６のいずれか一において、
前記バッファ層は、フッ素、塩素、臭素、またはヨウ素を含む非晶質半導体膜で形成する表示装置の作製方法。
【請求項１１】
請求項１乃至１０のいずれか一項において、
前記表示装置は液晶表示装置であることを特徴とする表示装置の作製方法。
【請求項１２】
請求項１乃至１０のいずれか一項において、
前記表示装置は発光装置であることを特徴とする表示装置の作製方法。
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
基板を保持するセラミックスからなる保持部と、該保持部に接してなり該保持部より体積固有抵抗が低い支持部材とを有することを特徴とする保持用治具。
【請求項２】
基板を保持するセラミックスからなる保持部材と、該保持部材より体積固有抵抗が低く該保持部材に接する支持部材とが、前記保持部材の体積固有抵抗と同等かそれ以下の接着材で接合されていることを特徴とする保持用治具。
【請求項３】
前記保持部または前記保持部材は炭化珪素からなり、その周囲はアルミナ／炭化チタン複合材料からなることを特徴とする請求項１または２に記載の保持用治具。
【請求項４】
前記保持部または前記保持部材に被保持体を吸着するように成したことを特徴とする請求項１乃至３のいずれかに記載の保持用治具。
【請求項５】
前記保持部または前記保持部材は炭化珪素からなり、その表面の最大ボイド径が５μｍ以下で且つボイド占有率が０．１％未満であることを特徴とする請求項１乃至４のいずれかに記載の保持用治具。
【請求項６】
前記セラミックスの体積固有抵抗は１０３〜１０９Ω・ｃｍの範囲であり、前記支持部材の表面に絶縁性領域を有していることを特徴とする請求項１乃至５のいずれかに記載の保持用治具。
【請求項７】
前記セラミックスの体積固有抵抗は１０３〜１０９Ω・ｃｍの範囲であり、前記支持部材の表面に導電性領域を有していることを特徴とする請求項１乃至５のいずれかに記載の保持用治具。
【請求項８】
請求項１乃至７のいずれかの保持用治具を吸着手段として用いたことを特徴とする吸着装置。
【手続補正２】
【補正対象書類名】明細書
【補正対象項目名】００１３
【補正方法】変更
【補正の内容】
【００１３】
本発明の保持用治具は、１）基板を保持するセラミックスからなる保持部と、該保持部に接してなり該保持部より体積固有抵抗が低い支持部材とを有することを特徴とする。
【手続補正３】
【補正対象書類名】明細書
【補正対象項目名】００１４
【補正方法】変更
【補正の内容】
【００１４】
また、２）基板を保持するセラミックスからなる保持部材と、該保持部材より体積固有抵抗が低く該保持部材を搭載する支持部材とが、前記保持部材の体積固有抵抗と同等かそれ以下の接着材で接合されていることを特徴とする。
【手続補正書】
【提出日】平成23年7月14日(2011.7.14)
【手続補正１】
【補正対象書類名】明細書
【補正対象項目名】発明の名称
【補正方法】変更
【補正の内容】
【発明の名称】半導体装置及びその作製方法
【手続補正２】
【補正対象書類名】特許請求の範囲
【補正対象項目名】全文
【補正方法】変更
【補正の内容】
【特許請求の範囲】
【請求項１】
絶縁表面を有する基板と、前記基板上に形成されたトランジスタと、を有し、
前記トランジスタは、
ゲート電極と、前記ゲート電極上のゲート絶縁層と、前記ゲート絶縁層上の微結晶構造を有する半導体層と、前記微結晶構造を有する半導体層上の非晶質半導体層と、を有し、
前記トランジスタのチャネル幅Ｗは、１μｍ以上５μｍ以下であり、
前記トランジスタのチャネル幅Ｗと、前記トランジスタのチャネル長Ｌとは、０．１≦Ｗ／Ｌ≦１．７の関係を満たし、
少なくとも前記トランジスタのチャネル形成領域となる前記微結晶構造を有する半導体層上には、前記非晶質半導体層が存在し、
前記トランジスタのチャネル形成領域となる前記微結晶構造を有する半導体層上において、前記非晶質半導体層には前記トランジスタのチャネル幅方向に溝が形成されていることを特徴とする半導体装置。
【請求項２】
請求項１において、
前記非晶質半導体層は、ｎ型またはｐ型を付与する不純物元素が添加されていないことを特徴とする半導体装置。
【請求項３】
請求項１または請求項２において、
前記微結晶構造を有する半導体層は、ｐ型を付与する不純物元素を、１×１０１４ａｔｏｍｓ／ｃｍ３以上６×１０１６ａｔｏｍｓ／ｃｍ３以下の濃度で有していることを特徴とする半導体装置。
【請求項４】
請求項１乃至３のいずれか一において、
前記微結晶構造を有する半導体層は、表面が平滑であることを特徴とする半導体装置。
【請求項５】
請求項１乃至４のいずれか一において、
前記非晶質半導体層上に、一導電型を付与する不純物元素を有する半導体層を有することを特徴とする半導体装置。
【請求項６】
絶縁表面を有する基板上に、ゲート電極を形成し、
前記ゲート電極上に、ゲート絶縁層を形成し、
前記ゲート絶縁層上に、微結晶構造を有する半導体層を形成し、
前記微結晶構造を有する半導体層上に、非晶質半導体層を形成し、
前記非晶質半導体層上に、一導電型を付与する不純物元素を有する半導体層を形成し、
前記一導電型を付与する不純物元素を有する半導体層上に、導電層を形成し、
前記導電層上に、レジストマスクを形成し、
前記レジストマスクをマスクとして前記導電層をエッチングし、
前記レジストマスクをマスクとして前記一導電型を付与する不純物元素を有する半導体層をエッチングし、
前記レジストマスクをマスクとして前記微結晶構造を有する半導体層が露出しないように前記非晶質半導体層の表面の一部をエッチングすることを特徴とする半導体装置の作製方法。
【請求項７】
絶縁表面を有する基板上に、ゲート電極を形成し、
前記ゲート電極上に、ゲート絶縁層を形成し、
前記ゲート絶縁層上に、微結晶構造を有する半導体層を形成し、
前記微結晶構造を有する半導体層に、前記微結晶構造を有する半導体層が溶融しないエネルギー密度のレーザー光を照射し、
前記微結晶構造を有する半導体層上に、非晶質半導体層を形成し、
前記非晶質半導体層上に、一導電型を付与する不純物元素を有する半導体層を形成し、
前記一導電型を付与する不純物元素を有する半導体層上に、導電層を形成し、
前記導電層上に、レジストマスクを形成し、
前記レジストマスクをマスクとして前記導電層をエッチングし、
前記レジストマスクをマスクとして前記一導電型を付与する不純物元素を有する半導体層をエッチングし、
前記レジストマスクをマスクとして前記微結晶構造を有する半導体層が露出しないように前記非晶質半導体層の表面の一部をエッチングすることを特徴とする半導体装置の作製方法。
【手続補正書】
【提出日】平成23年9月8日(2011.9.8)
【手続補正１】
【補正対象書類名】明細書
【補正対象項目名】発明の名称
【補正方法】変更
【補正の内容】
【発明の名称】密閉容器
【手続補正２】
【補正対象書類名】明細書
【補正対象項目名】０００１
【補正方法】変更
【補正の内容】
【０００１】
本発明は、揮発性の高い化粧料等を収容するのに適した密閉容器に関するものである。
【手続補正３】
【補正対象書類名】明細書
【補正対象項目名】０００７
【補正方法】変更
【補正の内容】
【０００７】
本発明は、このような事情に鑑みなされたもので、構造がシンプルで、しかも気密性に優れ、開閉動作が簡単で使い勝手のよい密閉容器の提供をその目的とする。
【手続補正４】
【補正対象書類名】明細書
【補正対象項目名】００１０
【補正方法】変更
【補正の内容】
【００１０】
すなわち、本発明の密閉容器は、容器本体側に設けられた円筒壁の突条Ａと、蓋体側に設けられた係合壁の突条Ｂとを係合させることによって、化粧料等の内容物を収容する部分となる円筒壁内を、気密性に優れた状態で密閉することができ、その状態から、蓋体を、容器本体に対し所定角度だけ水平方向に回動することにより、上記密閉を簡単に解除することができるようにしたものである。しかもその際、蓋体と容器本体との係合が、ヒンジ連結に切り替わり、このヒンジ連結を利用して、通常のコンパクト容器のように、蓋体を上方に開くことができるようになっている。
【手続補正５】
【補正対象書類名】明細書
【補正対象項目名】００１１
【補正方法】変更
【補正の内容】
【００１１】
したがって、この構成によれば、蓋体を所定角度だけ水平方向に回動させるだけで、簡単に、内容物収容部を密閉し、あるいはその密閉を解除することができるため、その動作を、簡単かつスムーズに行うことができる。しかも、上記密閉解除後は、上記回動させた蓋体と容器本体との係合を、ヒンジ連結に切り替えて、蓋体を上方に開くことができるようになっているため、意外性があり興趣に富むだけでなく、容器本体上面を、全面的に大きく露出させることができ、中の化粧料等を使用する際の使い勝手がよい。
【手続補正６】
【補正対象書類名】明細書
【補正対象項目名】００１８
【補正方法】変更
【補正の内容】
【００１８】
また、４は、上記容器本体１の上面を蓋する蓋体で、その天井面２１（図３参照）の奥側に、上記容器本体１の円筒壁２と係合しうる円筒状の係合壁５が下向きに形成されており、この係合壁５と、上記容器本体１の円筒壁２との係合によって、円筒壁２の内側を密閉した状態で蓋するようになっている。なお、６は、蓋体２の天井面２１の手前側に取り付けられる鏡である。
【手続補正７】
【補正対象書類名】明細書
【補正対象項目名】００３３
【補正方法】変更
【補正の内容】
【００３３】
このように、上記化粧料容器によれば、蓋体４を所定角度だけ水平方向に回動させるだけで、簡単に、化粧料収容部となる円筒壁２内を密閉し、あるいはその密閉を解除することができるため、その動作を、簡単かつスムーズに行うことができる。しかも、上記密閉解除後は、上記回動させた蓋体４と容器本体１との係合を、ヒンジ連結に切り替えて、蓋体４を上方に開くことができるようになっているため、意外性があり興趣に富むだけでなく、容器本体１の上面を、全面的に大きく露出させることができ、中の化粧料等を使用する際の使い勝手がよい。
【手続補正８】
【補正対象書類名】明細書
【補正対象項目名】００４０
【補正方法】変更
【補正の内容】
【００４０】
さらに、本発明は、化粧料を収容するものに限らず、例えば薬剤や食品等を密閉した状態で収容する密閉容器にも適用することができる。
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
メモリへ記憶された原画像データを読出し、ディスプレイ装置の画面へ所定サイズの原画像を表示する第１ステップと、表示された原画像中に画像の表示方向を変更する点を指定する第２ステップと、前記指定された点と画像中の特定点から、表示された原画像の傾き角を算出する第３ステップと、前記算出された傾き角に対し読出し方向を垂直方向とし、前記所定サイズを有した表示画像領域を前記メモリ内へ設定する第４ステップと、前記メモリ内へ設定された表示画像領域内に記憶された画像データを前記読出し方向へ読出し、前記原画像データと異なる表示方向を有する画像を表示する第５ステップを備えた画像の表示方向変更方法。
【請求項２】
前記第３ステップにおいて傾き角が、前記第４ステップにおいて前記表示画像領域がともに記憶され、前記原画像に引き続いて別の画像が前記メモリへ取り込まれると、前記傾き角及び前記表示画像領域を適用して取り込まれた画像データの表示方向と表示領域を変えてディスプレイへ表示する第6ステップを備えたことを特徴とする請求項１に記載の画像の表示方向変更方法。
【請求項３】
前記第４ステップは、設定された表示画像領域を前記原画像とともにディスプレイへ表示するステップを含むことを特徴とする請求項１又は２に記載の画像の表示方向変更方法。
【請求項４】
前記第４ステップは、メモリ内へ設定された表示画像領域を所定サイズのまま移動するステップを含むことを特徴とする請求項１乃至３いずれか１つに記載の画像の表示方向変更方法。
【請求項５】
前記画像中の特定点は、画像の中心点であることを特徴とする請求項１乃至４いずれか１つに記載の画像の表示方向変更方法。
【請求項６】
被検体へＸ線を照射するＸ線源と、前記Ｘ線源に対向して配置され、前記被検体を透過したＸ線画像データを受像し出力するＸ線受像系とから成るＸ線撮像系と、前記Ｘ線受像系から出力された透過Ｘ線画像データを画像処理する画像処理ユニットと、前記画像処理ユニットにて画像処理された前記透過Ｘ線画像データを画像として表示するディスプレイとを備えたＸ線装置において、
前記ディスプレイへ表示されたＸ線画像の表示方向を指定する画像表示方向指定手段と、前記画像表示方向指定手段により入力された情報に基づいて前記画像処理ユニット内のメモリへ記憶された画像データの読出し方向と読出し領域を設定する画像読出し制御手段とを備えたことを特徴とするＸ線装置。
【請求項７】
前記画像表示方向指定手段により入力された情報に基づく前記画像処理ユニット内のメモリに対する画像データの読出し方向と読出し領域の設定は、テスト撮影によって取得された画像に対して行われ、前記テスト撮影に引き続いて行われる本撮影の画像に対しても適用されることを特徴とする請求項６に記載のＸ線装置。
【請求項８】
前記画像表示方向指定手段は、タッチパネル付きディスプレイであることを特徴とする請求項６又は７に記載のＸ線装置。
【請求項９】
前記画像読出し制御手段は、設定された読出し方向と読出し領域サイズの下に、メモリの読出し領域を可変設定する手段を含むことを特徴とする請求項６乃至８いずれか１つに記載のＸ線装置。
【請求項１０】
前記Ｘ線装置は、Ｘ線発生源とＸ線受像系をＣアームにより対向支持してなる外科用ＣアームＸ線装置であることを特徴とする請求項６乃至９いずれか１つに記載のＸ線装置。
【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
画像表示装置の画面に表示された被検体の断層画像上に、その断層画像において定量分析を所望する部位を横断する直線の入力を受け付ける入力手段と、
前記直線上の濃度値を読み出す濃度値算出手段と、
前記直線上の位置に沿って、前記読み出された濃度値をプロットした濃度値プロファイルである計測曲線を生成し、その計測曲線を、一の軸が前記直線上の位置を示し、他の軸が濃度値を示す座標系上に表示するとともに、前記計測曲線と対比判断するための濃度値プロファイルである参照曲線を前記座標系上に表示するプロファイル表示手段と、
前記座標系上において、前記計測曲線と前記参照曲線との前記一の軸方向の位置を対応付ける対応付け手段と、
前記計測曲線と前記参照曲線とを減算し、その減算結果を前記画面に表示する結果表示手段と、
を含むことを特徴する画像診断支援装置。
【請求項２】
前記入力手段は、前記被検体の断層画像において、明らかに正常である部位を横断する少なくとも一つの直線の入力を受け付け、
前記濃度値算出手段は、前記少なくとも一つの直線のそれぞれについて濃度値を算出し、
前記プロファイル表示手段は、前記算出された濃度値に基づいて一の前記参照曲線を生成して表示する、
ことを特徴とする請求項１に記載の画像診断支援装置。
【請求項３】
前記結果表示手段は、前記直線上の位置に沿って前記計測曲線と前記参照曲線との差分値をプロットした差分曲線を生成し、その差分曲線の前記一の軸方向の位置と、前記計測曲線及び前記参照曲線の前記一の軸方向の位置と、を対応させて、前記差分曲線を前記座標系上に表示し、更に、前記差分曲線に実寸大を示す目盛を付与して表示する、
ことを特徴とする請求項１又は２に記載の画像診断支援装置。
【請求項４】
前記入力手段が、前記断層画像の中心から前記断層画像の外縁に向かう方向に前記直線の入力を受け付けた場合、及び前記断層画像の外縁から前記断層画像の中心に向かう方向に前記直線が入力された場合のいずれの場合においても、前記プロファイル表示手段は、横軸が前記直線上の位置を示し、かつ、前記横軸の左から右に向かう方向が、前記断層画像の中心から前記断層画像の外縁に向かう方向と一致するように、前記計測曲線及び前記参照曲線を表示する、
ことを特徴とする請求項１乃至３のいずれかに記載の画像診断支援装置。
【請求項５】
前記対応付け手段は、操作者が濃度値を用いて設定した対応付け範囲内において、前記計測曲線と前記参照曲線との濃度値の差の二乗の和が最小になるように、前記計測曲線及び前記参照曲線の少なくとも一方を伸縮及び／又は移動させて前記計測曲線と前記参照曲線とを対応付けると共に、前記伸縮及び／又は移動させた計測曲線又は参照曲線における前記対応付け範囲外の部分を、前記伸縮及び／又は移動させた量に従って伸縮及び／又は移動させる、
ことを特徴とする請求項１乃至４のいずれかに記載の画像診断支援装置。
【請求項６】
前記断層画像は、前記被検体の肺野領域を撮影して得た断層画像であって、
前記プロファイル表示手段は、横軸が前記直線上の位置を示すとともに左側が前記被検体の中心部であり右側が前記被検体の外側を示す横軸と、前記直線上の位置における濃度値を示す縦軸と、により定義付けされる２次元座標系上に前記計測曲線と前記参照曲線とを表示し、
前記対応付け手段は、前記計測曲線と前記参照曲線とのそれぞれの重心を基準とし、それらの重心よりも右側の前記計測曲線及び前記参照曲線の差の二乗の和が最小になるように、前記計測曲線及び前記参照曲線の少なくとも一方を伸縮及び／又は移動させて前記計測曲線と前記参照曲線とを対応付けると共に、前記伸縮及び／又は移動させた計測曲線又は参照曲線における前記重心よりも左側の部分を、前記伸縮及び／又は移動させた量に従って伸縮及び／又は移動させる、
または、前記対応付け手段は、前記計測曲線と前記参照曲線とのそれぞれの最左側点を基準とし、それらの最左側点よりも右側の前記計測曲線及び前記参照曲線の差の二乗の和が最小になるように、前記計測曲線及び前記参照曲線の少なくとも一方を伸縮及び／又は移動させて前記計測曲線と前記参照曲線とを対応付ける、
若しくは、前記対応付け手段は、前記計測曲線と前記参照曲線とのそれぞれの最右側点を基準とし、それらの最右側点よりも左側の前記計測曲線及び前記参照曲線の差の二乗の和が最小になるように、前記計測曲線及び前記参照曲線の少なくとも一方を伸縮及び／又は移動させて前記計測曲線と前記参照曲線とを対応付ける、
ことを特徴とする請求項１乃至４のいずれかに記載の画像診断支援装置。
【請求項７】
前記対応付け手段が、前記計測曲線を伸縮及び／又は移動した場合にのみ、前記結果表示手段は、前記直線上の位置に沿って前記計測曲線と前記参照曲線との差分値をプロットして生成された差分曲線と前記差分曲線に付与される実寸大を示す目盛とを前記伸縮及び／又は移動した量に従って伸縮及び／又は移動させる、
ことを特徴とする請求項１乃至６のいずれか一つに記載の画像診断支援装置。
【請求項８】
前記入力手段は、前記画面上で前記定量分析を所望する部位に入力される直線と、前記参照曲線を生成するために入力される直線と、をそれぞれ異なる色を用いて表示し、
前記プロファイル表示手段は、前記定量分析を所望する部位に入力される直線の色と同一の色を用いて前記計測曲線を表示するとともに、前記計測曲線の色とは異なる色を用いて前記参照曲線を表示し、
前記結果表示手段は、前記計測曲線及び前記参照曲線とは異なる色を用いて前記減算結果を表示する、
ことを特徴とする請求項１乃至７のいずれか一つに記載の画像診断支援装置。
【請求項９】
コンピュータにインストールされることにより、請求項１乃至８のいずれか一つに記載の画像診断支援装置を構成することを特徴とする画像診断支援プログラム。
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
前記特定遊技状態に制御するか否かを、前記識別情報の表示結果が導出表示される以前に決定する事前決定手段と、
該事前決定手段による決定に基づいて、前記特定遊技状態に制御される可能性があることをリーチ状態になった後に報知する複数の予告演出のうちから、実行する予告演出を決定する予告演出決定手段と、
該予告演出決定手段により決定された予告演出を実行する予告演出実行手段とを含み、
前記予告演出決定手段は、
前記予告演出の態様に基づいて分類された複数種類の予告演出種別のうちいずれの予告演出種別に属する予告演出を実行するかを決定する予告種別決定手段と、
該予告種別決定手段により決定された予告演出種別に属する予告演出のうちから実行する予告演出を決定する予告決定手段とを含むことを特徴とする、遊技機。
【請求項２】
前記予告種別決定手段は、リーチ状態の種類に基づいて異なる割振りで、前記複数種類の予告演出種別のうちからいずれの予告演出種別に属する演出を実行するかを決定することを特徴とする、請求項１に記載の遊技機。
【請求項３】
前記複数種類の予告演出種別は、所定条件が成立しなければ選択されない予告演出種別を含むことを特徴とする、請求項１または２に記載の遊技機。
【請求項４】
前記事前決定手段による決定に基づいて、前記予告種別決定手段および前記予告演出決定手段により決定される予告演出とは異なる特定の予告演出を実行するか否かを決定する特定予告演出決定手段と、
該特定予告演出決定手段により決定された特定の予告演出を実行する特定予告演出実行手段とをさらに含むことを特徴とする、請求項１から３のいずれかに記載の遊技機。
【請求項５】
前記事前決定手段の決定結果に基づいて、前記特定遊技状態に制御される可能性があることを報知する予告演出として、予め定められた系統にしたがって１段階から複数段階まで演出が段階的に変化し、前記特定遊技状態に制御される場合に前記特定遊技状態に制御されない場合よりも高い割合で予め定められた段階まで演出が変化するステップアップ予告演出を実行することを決定するステップアップ予告演出決定手段と、
該ステップアップ予告演出決定手段の決定結果にしたがって、前記ステップアップ予告演出を実行するステップアップ予告演出実行手段とを備え、
前記ステップアップ予告演出決定手段は、
予め定められた通常系統で演出が段階的に変化する通常ステップアップとするか、所定段階までは前記通常系統と共通の演出に変化し、前記所定段階以降は前記通常系統と異なる演出に変化する分岐系統で演出が段階的に変化する分岐ステップアップとするかと、前記ステップアップの変化の段階数とを決定することにより予告演出としてのステップアップ演出態様を決定するステップアップ演出態様決定手段を含むことを特徴とする、請求項１から４のいずれかに記載の遊技機。
【請求項６】
遊技者が操作可能な操作手段をさらに含み、
前記ステップアップ予告演出実行手段は、前記ステップアップ予告演出決定手段により前記分岐ステップアップに決定されたときに、該分岐ステップアップにおける前記所定段階以降の演出として、前記操作手段が操作されたことを条件として実行される操作予告演出を実行することを特徴とする、請求項５に記載の遊技機。
【請求項７】
遊技媒体を用いて１ゲームに対して所定数の賭数を設定することによりゲームを開始させることが可能となり、各々を識別可能な複数種類の入賞用識別情報を変動表示させる入賞用変動表示部に表示結果が導出されることにより１ゲームが終了し、該入賞用変動表示部に導出された表示結果に応じて入賞が発生可能である遊技機であって、
前記入賞用変動表示部の表示結果が導出される前に、遊技者にとって有利な特定遊技状態への移行を伴う特定入賞を含む複数種類の入賞各々の発生を許容するか否かを決定する入賞用事前決定手段と、
前記入賞用事前決定手段の決定結果に応じて、前記入賞用変動表示部に表示結果を導出させる制御を行なう入賞用導出制御手段と、
前記特定入賞に対応する特定入賞表示結果が前記入賞用変動表示部に導出されたときに、前記特定遊技状態に制御する特定遊技状態制御手段と、
各々を識別可能な複数種類の演出用識別情報を変動表示する演出用変動表示部と、
前記演出用変動表示部における演出用識別情報の表示結果が予め定められた特殊表示結果となることによって、遊技者にとって有利な状態に移行する移行条件が成立していることを示唆する示唆演出手段と、
前記特殊表示結果とするか否かを、演出用識別情報の表示結果が導出表示される以前に決定する演出用事前決定手段と、
該演出用事前決定手段による決定に基づいて、前記演出用識別情報の変動表示を実行する変動表示実行手段と、
前記演出用事前決定手段による決定に基づいて、前記演出用識別情報の表示結果が前記特殊表示結果となる可能性があることを前記演出用識別情報の変動表示においてリーチ状態になった後に報知する複数の予告演出のうちから、実行する予告演出を決定する予告演出決定手段と、
該予告演出決定手段により決定された予告演出を実行する予告演出実行手段とを含み、
前記予告演出決定手段は、
前記予告演出の態様に基づいて分類された複数種類の予告演出種別のうちいずれの予告演出種別に属する予告演出を実行するかを決定する予告種別決定手段と、
該予告種別決定手段により決定された予告演出種別に属する予告演出のうちから実行する予告演出を決定する予告決定手段とを含むことを特徴とする、遊技機。
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
プレイリスト情報に従って、プライマリビデオストリームと、セカンダリビデオストリームとを用いたピクチャインピクチャ再生を行う再生装置であって、
前記プレイリスト情報は、メインパス情報、サブパス情報を含み、
前記メインパス情報は、
プライマリビデオストリームにおける再生区間を定義する情報であり、プライマリビデオストリームにおける再生区間の開始点を規定する開始点情報と、プライマリビデオストリームにおける再生区間の終了点を規定する終了点情報とを備え、
前記サブパス情報は、
セカンダリビデオストリームにおける再生区間を定義する情報であり、セカンダリビデオストリームにおける再生区間の開始点を規定する開始点情報と、セカンダリビデオストリームにおける再生区間の終了点を規定する終了点情報とを備え、
プライマリビデオストリームにおける1つの再生区間に、セカンダリビデオストリームの再生区間が少なくとも2つ重複している場合、少なくとも2つのセカンダリビデオストリームの再生区間のうち、1つのセカンダリビデオの再生区間の終了点と、後続するセカンダリビデオの再生区間の開始点とに、時間的なギャップが設けられ、
プライマリビデオストリームとセカンダリビデオストリームを読み出す読出手段と、
プライマリビデオストリームにより構成されるピクチャの中に、セカンダリビデオストリームにより構成されるピクチャを合成することにより、ピクチャインピクチャを実現する再生手段とを備え、
前記再生手段は、
1つのセカンダリビデオの再生区間の終了点と、当該再生区間に後続するセカンダリビデオの再生区間の開始点との時間的なギャップにおいて、シームレスな再生を行わない
ことを特徴とする再生装置。
【手続補正２】
【補正対象書類名】明細書
【補正対象項目名】発明の名称
【補正方法】変更
【補正の内容】
【発明の名称】再生装置
【手続補正３】
【補正対象書類名】明細書
【補正対象項目名】０００７
【補正方法】変更
【補正の内容】
【０００７】
しかしながら、セカンダリビデオの同期再生を何時開始するかという同期タイミングの決め方については、選択の余地が存在せず、ユーザにとっての対話性が充実しているとはいえなかった。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の目的は、セカンダリビデオの同期再生を何時開始するかという同期タイミングの決め方について、選択の余地を広げることができる再生装置を提供することである。
【手続補正６】
【補正対象書類名】明細書
【補正対象項目名】００１０
【補正方法】変更
【補正の内容】
【００１０】
上記目的を達成するため、本発明にかかる再生装置は、プレイリスト情報に従って、プライマリビデオストリームと、セカンダリビデオストリームとを用いたピクチャインピクチャ再生を行う再生装置であって、
前記プレイリスト情報は、メインパス情報、サブパス情報を含み、
前記メインパス情報は、
プライマリビデオストリームにおける再生区間を定義する情報であり、プライマリビデオストリームにおける再生区間の開始点を規定する開始点情報と、プライマリビデオストリームにおける再生区間の終了点を規定する終了点情報とを備え、
前記サブパス情報は、
セカンダリビデオストリームにおける再生区間を定義する情報であり、セカンダリビデオストリームにおける再生区間の開始点を規定する開始点情報と、セカンダリビデオストリームにおける再生区間の終了点を規定する終了点情報とを備え、
プライマリビデオストリームにおける1つの再生区間に、セカンダリビデオストリームの再生区間が少なくとも2つ重複している場合、少なくとも2つのセカンダリビデオストリームの再生区間のうち、1つのセカンダリビデオの再生区間の終了点と、後続するセカンダリビデオの再生区間の開始点とに、時間的なギャップが設けられ、
プライマリビデオストリームとセカンダリビデオストリームを読み出す読出手段と、
プライマリビデオストリームにより構成されるピクチャの中に、セカンダリビデオストリームにより構成されるピクチャを合成することにより、ピクチャインピクチャを実現する再生手段とを備え、
前記再生手段は、
1つのセカンダリビデオの再生区間の終了点と、当該再生区間に後続するセカンダリビデオの再生区間の開始点との時間的なギャップにおいて、シームレスな再生を行わない
ことを特徴としている。
【手続補正７】
【補正対象書類名】明細書
【補正対象項目名】００１１
【補正方法】変更
【補正の内容】
【００１１】
本発明によれば、1つのプライマリビデオの再生区間において、何れか1つのセカンダリビデオの再生区間と、その直前のセカンダリビデオの再生区間との間には、時間的なギャップがに設けられるので、かかるセカンダリビデオの再生区間の境界では、シームレス再生が不要になる。シームレス再生の実行頻度を少なくすることができるので、再生装置を高いクロックで動作させることは必要でなくなり、再生装置を低コストで製造することができる。
【手続補正８】
【補正対象書類名】明細書
【補正対象項目名】００１２
【補正方法】削除
【補正の内容】
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる複数の循環表示手段と、
遊技媒体の受入を検出したことに基づいて賭数を設定する賭数設定手段と、
前記絵柄の循環表示を開始させることを決定可能な開始決定手段と、
前記開始決定手段の決定結果に基づいて、抽選を行う抽選手段と、
前記抽選に当選した場合、当選した役と対応する役当選情報を記憶する当選情報記憶手段と、
前記各循環表示手段の循環表示を個別に停止させるべく操作される複数の停止操作手段と、
前記開始決定手段の決定結果に基づいて前記各循環表示手段の循環表示を開始させるとともに、前記停止操作手段の操作に基づいて対応する循環表示手段の循環表示を停止させるように、前記各循環表示手段を表示制御する表示制御手段と
を備えた遊技機において、
遊技状態が所定遊技状態である場合に前記抽選に用いられる所定抽選情報を記憶する抽選情報記憶手段を備え、
前記所定抽選情報を、第１役と、第２役と、について少なくとも抽選が行われる構成とし、
前記第１役と対応する第１入賞が成立した場合、第１特典を付与する第１特典付与手段と、
前記第２役と対応する第２入賞が成立した場合、第２特典として前記賭数設定手段が設定し得る最大賭数より少数の遊技媒体を付与する第２特典付与手段と
を備え、
前記当選情報記憶手段を、前記第１役に当選したことを示す第１役当選情報を記憶した場合、前記第１特典付与手段が前記第１特典を付与するまで前記第１役当選情報を継続記憶可能な構成とし、
前記表示制御手段は、
前記第１役当選情報と、前記第２役に当選したことを示す第２役当選情報と、が前記当選情報記憶手段に記憶されている場合、前記第２入賞を成立させることが可能であれば前記第１入賞より前記第２入賞を優先して成立させるように、前記各循環表示手段を表示制御する第１表示制御手段と、
前記抽選手段の抽選結果が特定結果であって、前記第１役当選情報が前記当選情報記憶手段に記憶されている場合、前記第１入賞が成立可能となるように前記各循環表示手段を表示制御する特定表示制御手段と
を備え、
前記各循環表示手段の少なくとも１つには、前記当選情報記憶手段に前記第１役当選情報と前記第２役当選情報が記憶されている場合に前記表示制御手段が前記第１入賞を成立させない表示制御をできるよう、前記第２入賞を形成する第２役絵柄を配置し、
前記各循環表示手段の少なくとも１つには、前記第１役としての第１所定役と対応する第１入賞を形成する第１所定絵柄と、前記第１役としての第２所定役と対応する第１入賞を形成する第２所定絵柄と、を、前記第１所定絵柄を所定位置に到達させることが可能なタイミングで対応する停止操作手段が操作された場合には前記第２所定絵柄を前記所定位置に到達させることができず、前記第２所定絵柄を所定位置に到達させることが可能なタイミングで対応する停止操作手段が操作された場合には前記第１所定絵柄を前記所定位置に到達させることができないよう、離間して配置し、
さらに、
前記抽選情報を、抽選対象の当選確率と、前記抽選対象に当選した場合に対応する入賞が成立する確率と、前記入賞成立時の遊技媒体の付与数と、を乗算した乗算値を各抽選対象について導出し、前記第１入賞以外の入賞が成立する抽選対象の乗算値を加算し、前記加算値を前記賭数で除算した際の値が１未満となる構成としたことを特徴とする遊技機。
【請求項２】
前記第１役当選情報が前記当選情報記憶手段に記憶されている場合に、前記当選情報記憶手段に記憶されている第１役当選情報と対応する第１入賞を形成する絵柄を示唆する示唆演出を実行可能な示唆演出実行手段と、
前記示唆演出を実行するか否かを決定する決定手段と、
示唆演出第１モードに移行させる第１移行手段と、
前記示唆演出第１モードより前記示唆演出の実行頻度が低い示唆演出第２モードに移行させる第２移行手段と
を備え、
前記決定手段は、現在のモードに基づいて前記示唆演出を実行するか否かを決定することを特徴とする請求項１に記載の遊技機。
【請求項３】
前記決定手段は、前記第１役当選情報のみが前記当選情報記憶手段に記憶されている場合に、前記示唆演出を実行するか否かを決定することを特徴とする請求項２に記載の遊技機。
【請求項４】
前記決定手段は、前記第１役当選情報と前記第２役当選情報とが前記当選情報記憶手段に記憶されている場合、前記示唆演出を実行しないと決定することを特徴とする請求項２又は請求項３に記載の遊技機。
【請求項５】
前記第１役当選情報のみが前記当選情報記憶手段に記憶されている状況で前記決定手段が前記示唆演出を実行しないと決定した場合に、前記第１役に当選したことを示唆する一方、前記当選情報記憶手段に記憶されている第１役当選情報と対応する第１入賞を形成する絵柄を示唆しない第２示唆演出を実行可能な第２示唆演出実行手段を備えたことを特徴とする請求項２乃至請求項４のいずれかに記載の遊技機。
【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
被測定者の体表付近の温度を継続的に測定した温度データを複数日に亘って蓄積して分析する装置であって、
被測定者の衣服内に常時装着可能なケーシングと、
該ケーシングのうち被測定者の体表面側に設けられ体表の温度を検出する体表温度検出手段と、
前記ケーシングのうち前記体表面と反対側に設けられ外気の温度を検出する外気温度検出手段と、
測定日毎に開始時刻から終了時刻までの間に亘って予め決められた時間間隔で前記体表温度検出手段から体表温度検出データを読込むと共に、前記外気温度検出手段から外気温度検出データを読込む読込み手段と、
該読込み手段による前記体表温度検出データおよび外気温度検出データを時系列に連結して体表温度データ群および外気温度データ群を生成して記憶するデータ系列生成手段と、
該データ系列生成手段による前記体表温度データ群および外気温度データ群を用いて、就寝中に寝具と衣服で保温された衣服内で計測した体表温度データ群の中から、被測定者の深部温度に追随したその日の基礎体温変動の指標となる代表温度を特定して記憶する温度特定手段と、
該温度特定手段によって記憶した基礎体温変動の指標となる代表温度を表示する表示手段とを備える構成としてなる基礎体温変動推定および健康記録管理装置。
【請求項２】
前記温度特定手段は、就寝時から起床時までに計測した体表温度データ群の中から、予め設定された温度および温度変化の許容範囲以外の体表温度検出データの値を削除し、さらに、外気温度データ群を用いて測定状況の適正状態を推定し、該適正状態での計測値と推定される体表温度検出データのうち最高値を基礎体温変動の指標となる代表温度として特定して記憶する構成としてなる請求項１に記載の基礎体温変動推定および健康記録管理装置。
【請求項３】
前記表示手段は、被測定者が月経開始日を入力すると、予め設定された月経周期に基づいて月経期／卵胞期／黄体期に対応するマークが表示され、被測定者の基礎体温変動の指標となる代表温度と併せて表示する機能を備える構成としてなる請求項１または２に記載の基礎体温変動推定および健康記録管理装置。
【請求項４】
前記請求項１ないし３のいずれかに記載の基礎体温変動推定および健康記録管理装置を用いて継続的に測定した前記体表温度検出データおよび外気温度検出データを、通信手段を用いて複数月または複数年に亘って処理装置に蓄積して分析するシステムであって、
被測定者が蓄積した体表温度検出データと外気温度検出データを用いて、就寝中に計測したデータによりその日の基礎体温変動の指標となる代表温度を特定し、日中の温度変化から行動状況と環境を推定して記憶し、就寝中の温度変化から睡眠状況と環境を推定して記憶し、
前記代表温度、日中の行動状況と環境および就寝中の睡眠状況と環境を表示することが可能な構成としてなる基礎体温変動推定および健康記録管理システム。
【請求項５】
基礎体温変動と関連する健康情報を蓄積して分析し、前記代表温度、日中の行動状況と環境および就寝中の睡眠状況と環境と併せて該健康情報およびその分析結果を月経周期毎に表示することが可能な構成としてなる請求項４に記載の基礎体温変動推定および健康記録管理システム。
【請求項６】
前記請求項１ないし３のいずれかに記載の基礎体温変動推定および健康記録管理装置を用いて継続的に測定した前記体表温度検出データおよび外気温度検出データを、通信手段を用いて複数月または複数年に亘って処理装置に蓄積して分析するシステムであって、
基礎体温変動の指標となる代表温度に加え、基礎体温変動と関連する健康情報を蓄積して分析し、前記代表温度と併せて該健康情報およびその分析結果を月経周期毎に表示することが可能な構成としてなる基礎体温変動推定および健康記録管理システム。
【請求項７】
被測定者の体表付近の温度を測定した温度データを、通信手段を用いて複数月または複数年に亘って処理装置に蓄積して分析するシステムであって、
被測定者が蓄積した温度データを用いて、その日の基礎体温変動の指標となる代表温度を特定し、
前記代表温度に加え、基礎体温変動と関連する健康情報を蓄積して分析し、前記代表温度と併せて該健康情報およびその分析結果を月経周期毎に表示することが可能な構成としてなる基礎体温変動推定および健康記録管理システム。
【手続補正２】
【補正対象書類名】明細書
【補正対象項目名】００１６
【補正方法】変更
【補正の内容】
【００１６】
請求項６の発明による基礎体温変動推定および健康記録管理システムは、基礎体温変動推定および健康記録管理装置を用いて継続的に測定した前記体表温度検出データおよび外気温度検出データを、通信手段を用いて複数月または複数年に亘って処理装置に蓄積して分析するシステムであって、基礎体温変動の指標となる代表温度に加え、基礎体温変動と関連する健康情報を蓄積して分析し、前記代表温度と併せて該健康情報およびその分析結果を月経周期毎に表示することが可能な構成としている。
請求項７の発明による基礎体温変動推定および健康記録管理システムは、被測定者の体表付近の温度を測定した温度データを、通信手段を用いて複数月または複数年に亘って処理装置に蓄積して分析するシステムであって、被測定者が蓄積した温度データを用いて、その日の基礎体温変動の指標となる代表温度を特定し、前記代表温度に加え、基礎体温変動と関連する健康情報を蓄積して分析し、前記代表温度と併せて該健康情報およびその分析結果を月経周期毎に表示することが可能な構成としている。
【手続補正３】
【補正対象書類名】明細書
【補正対象項目名】００２１
【補正方法】変更
【補正の内容】
【００２１】
請求項５，６，７の発明によれば、基礎体温変動の指標となる代表温度に加え、例えば月経開始日の情報、月経の色と量、おりもの、体重、身体的症状、精神的症状、ストレスの度合い等のように被測定者が入力した基礎体温変動と関連する健康情報を蓄積して分析する構成となっている。このため、基礎体温変動と月経周期にかかわる様々な健康データを蓄積して分析することで、被測定者毎のＰＭＳ（月経前症候群）、ＰＥＭＳ（周経期症候群）、婦人病、不妊症等の様々な症状の状況把握に役立つこととなる。さらに、多数の被測定者の健康情報がサーバに蓄積されることにより、現代女性の膨大な健康情報をもとに女性のＱＯＬ（Ｑｕａｌｉｔｙ ｏｆ Ｌｉｆｅ、生活の質）向上のための研究が行われることが予測される。